(57)【要約】【課題】  十分な量の尿素水を蓄えることができ、かつ、補給作業が容易な還元剤タンクシステム及び該還元剤タンクシステムに用いられるタンクを提供する。【解決手段】  車両３に搭載される選択触媒還元システム２に液状の還元剤を供給するための還元剤タンクシステム１であって、還元剤供給管に接続され、車両に固定された還元剤を貯蔵するメインタンク２１と、還元剤を貯蔵可能であり、車両に脱着可能に設けられたサブタンク２２と、両タンクを連通させるべく、サブタンクに設けられた第１接続部４１及びメインタンクに設けられた第１被接続部３１と、第１接続部及び第１被接続部の少なくとも一方に設けられた開閉弁４３と、第１接続部及び第１被接続部の間に設けられ、両タンクが互いに連通し、かつ開閉弁が開いているときに、サブタンクに貯蔵された還元剤をメインタンクに移送する移送機構５５とを有する。【選択図】    図１
2017227166.tif 000002
【特許請求の範囲】
【請求項１】
車両に搭載される選択触媒還元システムに液状の還元剤を供給するための還元剤タンクシステムであって、
前記選択触媒還元システムに至る還元剤供給管に接続され、前記車両に固定された還元剤を貯蔵するメインタンクと、
還元剤を貯蔵可能であり、前記車両に脱着可能に設けられたサブタンクと、
前記サブタンク及び前記メインタンクを互いに連通させるべく、前記サブタンクに設けられた第１接続部及び前記メインタンクに設けられた第１被接続部と、
前記第１接続部及び前記第１被接続部の少なくとも一方に設けられた開閉弁と、
前記第１接続部及び前記第１被接続部の間に設けられ、前記サブタンク及び前記メインタンクが互いに連通し、かつ、前記開閉弁が開いているときに、前記サブタンクに貯蔵された還元剤を前記メインタンクに移送する移送機構とを備えることを特徴とする還元剤タンクシステム。
【請求項２】
前記サブタンクが前記メインタンクの上側に重合されることを特徴とする請求項１に記載の還元剤タンクシステム。
【請求項３】
前記第１接続部及び前記第１被接続部の一方に、閉方向に付勢された弁体を有する前記開閉弁が設けられ、
前記第１接続部及び前記第１被接続部の他方に、前記サブタンクが前記メインタンクの上側に重合されたときに、前記弁体を開方向に押すように適合された操作部材が設けられていることを特徴とする請求項２に記載の還元剤タンクシステム。
【請求項４】
前記サブタンクに還元剤補給用の補給口が設けられていることを特徴とする請求項３に記載の還元剤タンクシステム。
【請求項５】
前記メインタンクが前記車両の荷室の床の下方に設けられ、前記サブタンクが前記メインタンクと前記床との間に設置可能に構成されていることを特徴とする請求項４に記載の還元剤タンクシステム。
【請求項６】
前記サブタンクに液面計が設けられ、該液面計の表示部が前記床の上方に突出している請求項５に記載の還元剤タンクシステム。
【請求項７】
前記液面計がフロート式液面計である請求項６に記載の還元剤タンクシステム。
【請求項８】
前記サブタンクに、他の前記サブタンクに設けられた前記第１接続部に接続可能な第２被接続部が設けられていることを特徴とする請求項７に記載の還元剤タンクシステム。
【請求項９】
車両に搭載された選択触媒還元システムに至る還元剤供給管に接続され、前記選択触媒還元システムに液状の還元剤を供給するメインタンクに、脱着可能に構成されるサブタンクであって、
前記メインタンクには、開口部を有する第１被接続部が設けられており、
当該サブタンクは、
前記メインタンクに装着されるときに、当該メインタンクと前記サブタンクとを連通させるべく、前記第１被接続部に接続する第１接続部と、
前記第１接続部に設けられ、前記メインタンクと当該サブタンクとの連通を開閉する開閉弁と、
前記第１接続部が前記第１被接続部に接続し、かつ、前記開閉弁が開いているときに、当該サブタンクに貯蔵された還元剤を前記メインタンクに移送する移送機構とを備えることを特徴とするサブタンク。
【請求項１０】
前記メインタンクの上側に装着され、
他の前記サブタンクに設けられた前記第１接続部に接続可能な第２被接続部を上面に備えることを特徴とする請求項９に記載のサブタンク。
【発明の詳細な説明】
【技術分野】
【０００１】
本発明は、選択触媒還元（Ｓｅｌｅｃｔｉｖｅ  Ｃａｔａｌｙｔｉｃ  Ｒｅｄｕｃｔｉｏｎ，ＳＣＲ）システムに用いる還元剤タンクシステム及びこれに用いられるサブタンクに関する。
【背景技術】
【０００２】
排気ガス中の窒素酸化物（ＮＯｘ）を還元するＳＣＲシステムを搭載する車両がある。ＳＣＲシステムではＮＯｘの還元剤としてアンモニア（ＮＨ３）が広く用いられている。そのＮＨ３の発生源として前駆体となる尿素水溶液（以下、尿素水という。）が車両に積載される。車両に積載された尿素水は排気ガスの流路に備えられた選択還元触媒（以下、ＳＣＲ触媒という）に向けて噴射される。噴射された尿素水は触媒作用によってＮＨ３となり、発生したＮＨ３が排気ガス中のＮＯｘを窒素に還元する。
【０００３】
尿素水を積載するために車両にはＳＣＲシステムに尿素水供給管を介して接続された尿素水タンクが搭載されている。尿素水タンクへの尿素水の補給を容易にするため、ＳＣＲシステムと切り離すことが可能な尿素水タンクが知られている（例えば、特許文献１）。
【先行技術文献】
【特許文献】
【０００４】
【特許文献１】特開２００１−１７３４３１公報
【発明の概要】
【発明が解決しようとする課題】
【０００５】
しかしながら、車両に搭載された尿素水タンクは車両の走行に十分な量の尿素水を蓄える必要があるため、尿素水の補給後の尿素水タンクは重くなる。したがって尿素水タンクの運搬やＳＣＲシステムへの取り付け作業が行いにくくなる問題があった。
【０００６】
本発明は、以上の背景を鑑み、十分な量の尿素水を蓄えることができ、かつ、補給作業が容易な還元剤タンクシステム及び該還元剤タンクシステムに用いられるタンクを提供することを課題とする。
【課題を解決するための手段】
【０００７】
上記課題を解決するために、車両（３）に搭載される選択触媒還元システム（２）に液状の還元剤を供給するための還元剤タンクシステム（１）であって、前記選択触媒還元システムに至る還元剤供給管（２４）に接続され、前記車両に固定された還元剤を貯蔵するメインタンク（２１）と、還元剤を貯蔵可能であり、前記車両に脱着可能に設けられたサブタンク（２２）と、前記サブタンク及び前記メインタンクを互いに連通させるべく、前記サブタンクに設けられた第１接続部（４１）及び前記メインタンクに設けられた第１被接続部（３１）と、前記第１接続部及び前記第１被接続部の少なくとも一方に設けられた開閉弁と、前記第１接続部及び前記第１被接続部の間に設けられ、前記サブタンク及び前記メインタンクが互いに連通し、かつ、前記開閉弁が開いているときに、前記サブタンクに貯蔵された還元剤を前記メインタンクに移送する移送機構（５５）とを有するとよい。
【０００８】
この態様によれば、還元剤を選択触媒還元システムに供給するタンクであり、メインタンク及びサブタンクからなるタンク全体よりも軽量化され、補給作業が容易なサブタンクが構成される。
【０００９】
また、上記の態様において、前記サブタンクが前記メインタンクの上側に重合されるとよい。
【００１０】
この態様によれば、重力によって、還元剤がサブタンクからメインタンクに移送されるため、移送機構が容易に構成される。
【００１１】
また、上記の態様において、前記第１接続部（４１）及び前記第１被接続部（３１）の一方に、閉方向に付勢された弁体（４４）を有する前記開閉弁（４３）が設けられ、前記第１接続部及び前記第１被接続部の他方に、前記サブタンク（２２）が前記メインタンクの（２１）上側に重合されたときに、前記閉止弁を開方向に押すように適合された操作部材（３３）が設けられているとよい。
【００１２】
この態様によれば、サブタンクがメインタンクの上側に重合されたときに、サブタンクの還元剤がメインタンクに供給される。
【００１３】
また、上記の態様において、前記サブタンク（２２）に還元剤補給用の補給口（４６）が設けられているとよい。
【００１４】
この態様によれば、補給口を介して還元剤をサブタンクに補給することが可能となる。
【００１５】
また、上記の態様において、前記メインタンク（２１）が前記車両（３）の荷室（１１）の床（１２）の下方に設けられ、前記サブタンク（２２）が前記メインタンクと前記床との間に設置可能に構成されているとよい。
【００１６】
この態様によれば、サブタンク及びメインタンクが荷室の床の下に設置されるため、荷室の使い勝手の悪化が防止される。
【００１７】
また、上記の態様において、前記サブタンク（２２）に液面計（４９）が設けられ、該液面計の表示部（４８）が前記床（１２）の上方に突出しているとよい。
【００１８】
この態様によれば、床の下にアクセスすることなく、サブタンクの尿素水の液量が読み取られる。
【００１９】
また、上記の態様において、前記液面計（４９）がフロート式液面計であるとよい。
【００２０】
この態様によれば、サブタンクの液面計が容易に構成される。
【００２１】
また、上記の態様において、前記サブタンク（２２）に、他の前記サブタンクに設けられた前記第１接続部（４１）に接続可能な第２被接続部（４５）が設けられているとよい。
【００２２】
この態様によれば、メインタンクに重合されたサブタンクに、更にサブタンクを重合させ、還元剤タンクシステムに貯蔵可能な還元剤の総量を増やすことが可能となる。
【００２３】
また、車両（３）に搭載された選択触媒還元システム（１）に至る還元剤供給管（２４）に接続され、前記選択触媒還元システムに液状の還元剤を供給するメインタンク（２１）に、脱着可能に構成されるサブタンク（２２）であって、前記メインタンクには、開口部（３４）を有する第１被接続部（３１）が設けられており、当該サブタンクは、前記メインタンクに装着されるときに、当該メインタンクと前記サブタンクとを連通させるべく、前記第１被接続部に接続する第１接続部（４１）と、前記第１接続部に設けられ、前記メインタンクと当該サブタンクとの連通を開閉する開閉弁（４３）と、前記第１接続部が前記第１被接続部に接続し、かつ、前記開閉弁が開いているときに、当該サブタンクに貯蔵された還元剤を前記メインタンクに移送する移送機構（５５）とを備えるとよい。
【００２４】
この態様によれば、選択触媒還元システムへの還元剤の補給作業が容易なタンクを構成することが可能となる。
【００２５】
また、上記の態様において、前記サブタンクが、前記メインタンクの上側に装着され、他の前記サブタンクに設けられた前記第１接続部に接続可能な第２被接続部（４５）を上面に有するとよい。
【００２６】
この態様によれば、重力によって還元剤がサブタンクからメインタンクに移送されるため、移送機構が容易に構成される。また、メインタンクに接続されたサブタンクの上側に更に、別のサブタンクを積載することによって、選択触媒還元システムに供給可能な還元剤の総量を増やすことが可能となる。
【発明の効果】
【００２７】
以上の構成によれば、十分な量の尿素水を蓄えることができ、かつ、補給作業が容易な還元剤タンクシステム及び該還元剤タンクシステムに用いられるタンクを提供することが可能となる。
【図面の簡単な説明】
【００２８】
【図１】本発明に係る尿素水供給システムの概略図
【図２】本発明に係るメインタンク、及びサブタンクの接続時における（Ａ）断面図、及び（Ｂ）後面図
【図３】本発明に係る（Ａ）メインタンク、及び（Ｂ）サブタンクの断面図
【発明を実施するための形態】
【００２９】
以下、本発明を実施の一形態である還元剤タンクシステムについて、図面を参照して説明する。
【００３０】
図１に示されるように、本実施形態に係る還元剤タンクシステム１は、ＳＣＲシステム２を搭載する車両３に設けられる。本明細書に記載の還元剤とは、排気ガス中の環境汚染物質を還元するため液体の還元剤であって、還元剤を含む液体、還元剤の前駆体を含む液体、又はそれらの混合物を含む。以下で説明する車両３では、尿素ＳＣＲシステム２が搭載されている。尿素ＳＣＲシステム２は尿素水を還元剤の前駆体として用いるＳＣＲシステムであり、尿素ＳＣＲシステム２によって排気ガス中の窒素酸化物が窒素に還元される。
【００３１】
車両３はその前部に形成されたエンジンルームに内燃機関４を搭載しており、内燃機関４には車両３の後端まで延びる排気管５が接続されている。排気管５には前方より順番に酸化触媒６、尿素ＳＣＲシステム２、消音器７、及び排気口８が備えられている。酸化触媒６と尿素ＳＣＲシステム２とは配管によって接続され、尿素ＳＣＲシステム２の前側に接続された配管上部に尿素インジェクタ９が接続されている。車両３の座席１０の後方には荷室１１があり、荷室１１の床１２の下方であり車体フレーム１３より上方には、タンク室１４が設けられている。タンク室１４の内部には還元剤タンクシステム１が収められている。還元剤タンクシステム１は、尿素水を貯蔵可能なメインタンク２１とサブタンク２２とを備えている。
【００３２】
メインタンク２１はタンク室１４に載置される略直方体のタンクであって、その内部に尿素水を貯蔵することが可能である。メインタンク２１は尿素インジェクタ９に接続された尿素水供給管２４に接続している。
【００３３】
図２に示されるように、車両３に搭載されたメインタンク２１にサブタンク２２を上方から重合させることができる。また、図３に示されるように、サブタンク２２はメインタンク２１から取り外すことも可能である。
【００３４】
図２及び図３に示されるように、メインタンク２１の上面後部には後方に向き下方に傾斜する傾斜面が形成され、この傾斜面上に上方斜め後方に向けて開口する第１補給口２５が設けられている。第１補給口２５は傾斜面から突出する筒口部により画成されている。筒口部の外周面には雄ねじが形成されており、筒口部に螺着する蓋体２６によって第１補給口２５は閉じられる。
【００３５】
メインタンク２１はその上面に更に第１被接続部３１を備える。第１被接続部３１はメインタンク２１の上面に設けられ下方へ円柱状に凹んだ凹部３２、凹部３２の底面から凹部３２の軸線に沿い上方に向けてピン形状を有して突出した操作部材３３、及び、凹部３２の底部に設けられた凹部貫通孔３４を備える。凹部貫通孔３４を介してメインタンク２１の外部と内部とが連通している。
【００３６】
メインタンク２１は、更にその上面前部にメインタンク２１に貯蔵された尿素水量を計測する第１液面計３５を備える。第１液面計３５は、メインタンク２１の尿素水の液面上に浮き、尿素水の液面の高さに沿って上下動する第１浮子３６（フロート）を備える。第１液面計３５は、更に第１浮子３６の高さを検知するセンサ３７を備える。第１液面計３５は、センサ３７によって検知された第１浮子３６の高さからメインタンク２１の尿素水の水量を検出し、残量に応じた信号を車両３の運転席に備えられた第１表示部３８に電気配線を通じて送信する。第１表示部３８にはメインタンク２１の尿素水の残量が表示される。
【００３７】
図１に示されるように、サブタンク２２はメインタンク２１の上部に重合され、荷室１１の床１２の下であり、かつ、メインタンク２１の上に設置される。つまり、メインタンク２１及びサブタンク２２は、タンク室１４の内部に収められる。図２及び図３に示されるように、本実施形態ではサブタンク２２は略直方体のタンクであって、メインタンク２１と略同形の底面を有する。本実施形態ではサブタンク２２の高さはメインタンク２１よりも小さく、メインタンク２１よりも軽量である。サブタンク２２はその底面に下方へ向けて円柱状に膨出した第１接続部４１を有する。第１接続部４１の外径は第１被接続部３１の内径よりも小さく、第１接続部４１は第１被接続部３１と嵌合可能且つ脱着可能に形成されている。有底円筒状の第１接続部４１の内部には、第１接続部４１の底部に吐出口４２と、吐出口４２を開閉する開閉弁４３とが設けられている。開閉弁４３には、吐出口４２を閉じるように吐出口４２に向かって付勢された弁体４４が設けられている。本実施形態では、弁体４４を閉方向に付勢する手段として圧縮コイルばね４４Ｓが設けられている。他の形態では、付勢手段として他のばねや尿素水の水圧等が用いられてもよい。
【００３８】
サブタンク２２はその上面に第２被接続部４５を備える。第２被接続部４５は第１被接続部３１と同形状を有し、サブタンク２２の上面における第２被接続部４５の面内位置はメインタンク２１の第１被接続部３１の上面における面内位置と同じである。サブタンク２２の上面後部には更に上方に向けて開口する第２補給口４６が設けられている。本実施形態では第２補給口４６の形状は第１補給口２５と略同形であり、サブタンク２２の上面における第２補給口４６は、メインタンク２１の上面における第１補給口２５とほぼ同位置にあり、蓋体２６によって閉じられている。サブタンク２２は、更に、その上面に把手４７を備えている。
【００３９】
サブタンク２２は、その内部の尿素水量を計測する第２液面計４９を備える。第２液面計４９は、サブタンク２２の内部に格納され、サブタンク２２の尿素水の液面上に浮き、サブタンク２２の尿素水の液面の高さに沿って上下動する第２浮子５０を備える。第２液面計４９によって測定されたサブタンク２２の尿素水の水位は、第２表示部４８に表示される。第２表示部４８は、荷室１１の内部であり、荷室１１の床１２の上方に突出するように設けられている。本実施形態では、第２表示部４８のインジケータが第２液面計４９の第２浮子５０に接続され、第２液面計４９の第２浮子５０の高さに連動して、第２表示部４８のインジケータが上下するように構成されている。
【００４０】
サブタンク２２がメインタンク２１の上に重合されているときには、メインタンク２１の尿素水の補給口である第１補給口２５は蓋体２６によって閉じられている。第１補給口２５を閉じる蓋体２６は、サブタンク２２がメインタンク２１の上に重合されているとき、サブタンク２２の下面が蓋体２６に上方から当接するように構成されている。そのため、サブタンク２２の筐体によって、第１補給口２５を開く方向への蓋体２６の移動が規制されている。すなわち、サブタンク２２とメインタンク２１との重合を解除しなければ、蓋体２６と第１補給口２５の筒口部との螺着を解除し、蓋体２６を第１補給口２５から取り外して、第１補給口２５を開くことができないように構成されている。
【００４１】
次に、本発明の実施形態に係る還元剤タンクシステム１の動作について説明する。尿素ＳＣＲシステム２を搭載する車両３では、メインタンク２１の尿素水量が所定の尿素水量よりも多いときに車両３の走行が可能となる。
【００４２】
メインタンク２１の尿素水量が所定の尿素水量よりも少ないとき、図４に示されるように、尿素水が充填されたサブタンク２２がメインタンク２１の上側に重合される。サブタンク２２とメインタンク２１とが重合するときに、第１接続部４１が第１被接続部３１に嵌合する。第１接続部４１と第１被接続部３１との嵌合によって、第１接続部４１の弁体４４が、第１被接続部３１に設けられた操作部材３３によって押し上げられ、操作部材３３によって開閉弁４３が開かれる。弁体４４が押し上げられることによって、サブタンク２２の第１接続部４１に設けられた吐出口４２が開口し、尿素水がメインタンク２１とサブタンク２２との間で、吐出口４２及び凹部貫通孔３４を介して流通する。
【００４３】
サブタンク２２とメインタンク２１とが重合するときに、第１接続部４１の下端がメインタンク２１の尿素水の液面に達していなければ、第１接続部４１から重力によって尿素水が吐出し、サブタンク２２からメインタンク２１に尿素水が流入する。第１接続部４１と第１被接続部３１との嵌合によって、サブタンク２２の尿素水がメインタンク２１に移送される移送機構５５が形成されている。吐出すると同時にサブタンク２２の上部に空間に空気が流入する。接続時の下端に液面が到達すると、サブタンク２２の液面が下降しても空気が流入せずサブタンク２２の上部の空間は真空となるため、尿素水はサブタンク２２の上部の空間によって上方に吸引され吐出が止まる。
【００４４】
尿素水が使用され、サブタンク２２の尿素水が無くなると、サブタンク２２への尿素水の充填が行われる。サブタンク２２への尿素水の充填は、サブタンク２２をメインタンク２１から外し、サブタンク２２に第２補給口４６から尿素水を注入することで行われる。サブタンク２２がメインタンク２１から外されたときには、弁体４４が吐出口４２に向かって付勢されているため、弁体４４によって吐出口４２が封止され、開閉弁４３が閉じられる。開閉弁４３が閉じられるため、漏れることなく、尿素水がサブタンク２２に貯蔵される。サブタンク２２をメインタンク２１の上に重合すると、サブタンク２２に貯蔵された尿素水がメインタンク２１へ供給される。サブタンク２２に貯蔵された尿素水がメインタンク２１へ供給された後、サブタンク２２はメインタンク２１から外されてもよい。
【００４５】
車両３が走行すると、車両３に搭載されたメインタンク２１及びサブタンク２２に貯蔵された尿素水は尿素水供給管２４を通り、尿素インジェクタ９から噴霧され、消費される。尿素水が消費されると、メインタンク２１の尿素水の水位が低下する。メインタンク２１の尿素水の低下に応じてサブタンク２２に蓄えられた尿素水がメインタンク２１に流入する。尿素水の流入は、第１接続部４１の下端がメインタンク２１の尿素水の液面に到達するまで行われるため、第１接続部４１の下端がメインタンク２１の尿素水の液面となるように尿素水がサブタンク２２からメインタンク２１に供給される。
【００４６】
メインタンク２１には第１補給口２５から直接尿素水を注入することによって尿素の充填が行うことも可能である。サブタンク２２への尿素水の充填は、第２補給口４６から直接行われてもよい。
【００４７】
次に、本発明の実施形態に係る還元剤タンクシステム１の効果について説明する。サブタンク２２はメインタンク２１よりも高さが小さいため、サブタンク２２はメインタンク２１よりも尿素水を充填したときの重量は少なくなる。尿素水が補給されたサブタンク２２の重量は、尿素水が補給されたメインタンク２１の重量よりも小さく、サブタンク２２は容易に運搬され、メインタンク２１への取り付けも容易に行うことが可能になる。また、サブタンク２２がメインタンク２１の上側に重合されているため、サブタンク２２に尿素水が貯蔵されているにも関わらず、メインタンク２１の尿素水の残量が零になることが防止されている。
【００４８】
タンクへの尿素水の注入速度によっては、尿素水の充填に時間を要する場合がある。迅速な尿素水の充填が求められるときには、予め尿素水を充填したサブタンク２２をメインタンク２１に装着すればよい。予め尿素水を充填したサブタンク２２を用意することによって、必要なときに尿素水を迅速に還元剤タンクシステム１に供給することが可能となる。
【００４９】
図２に示されるように、サブタンク２２の上面にはメインタンク２１と同様に第２被接続部４５が設けられている。メインタンク２１に接続されたサブタンク２２の上に別のサブタンク２２を重合させ、メインタンク２１と２つのサブタンク２２を接続することができる。サブタンク２２の上に別のサブタンク２２を重合させるときには、第２液面計４９はサブタンク２２から取り外され、サブタンク２２の第２液面計４９の導入口は閉じられる。メインタンク２１に重合されたサブタンク２２に更にサブタンク２２を重合することによって、車両３に搭載され尿素ＳＣＲシステム２に供給可能に設けられる尿素水量を大きくすることが可能となる。
【００５０】
サブタンク２２がメインタンク２１に重合すると、メインタンク２１とサブタンク２２とは一体となって尿素ＳＣＲシステム２に尿素水を供給する。サブタンク２２がメインタンク２１に重合することによって、車両３に搭載できる尿素水量を多くすることが可能となる。尿素水が不足になる虞のない距離を走行する場合は、サブタンク２２を外すことによって、車両３の積載重量が軽減されるため、車両３の燃費が向上する。
【００５１】
メインタンク２１の尿素水量は第１液面計３５によって計測され、運転席に設けられた運転席に設けられた第１表示部３８に表示されるため、車両３の使用者はメインタンク２１の尿素水の欠乏をより迅速に知ることが可能である。また、サブタンク２２の尿素水量は荷室１１にある第２表示部４８に表示されるため、車両３の使用者は、荷室１１の床１２を開くことなく、サブタンク２２の尿素水の残量を知ることが可能である。
【００５２】
以上で具体的実施形態の説明を終えるが、本発明は上記実施形態に限定されることなく幅広く変形実施することができる。凍結した尿素水を融解するため、サブタンク２２の尿素水を加熱するための態様となるヒータ６０がサブタンク２２に設けられていてもよい。サブタンク２２及びメインタンク２１にはそれぞれ温度計などの尿素水凍結チェック機構が設けられていてもよい。液体状態の尿素水を貯蔵するサブタンク２２を凍結した尿素水を内部に有するメインタンク２１に接続すると、サブタンク２２の尿素水がメインタンク２１に供給され、メインタンク２１の内部の凍結した尿素水を融解するために要する熱量を迅速に供給することが可能となる。
【００５３】
サブタンク２２はその下部に車輪を備えていてもよい。サブタンク２２が車輪を備えることによって、尿素水が充填されたサブタンク２２を容易に運搬することが可能となる。
【００５４】
本実施形態では、還元剤として尿素水を用いたが、本明細書に記載の還元剤は、還元剤を含む液体、還元剤の前駆体を含む液体、又はそれらの混合物を含むものであればよく、例えば凝固点を下げる又は着色する等の目的のために、尿素と水以外の物質を含んでいてもよい。
【符号の説明】
【００５５】
１        ：還元剤タンクシステム
２        ：ＳＣＲシステム（尿素ＳＣＲシステム）
３        ：車両
１１      ：荷室
１２      ：床
２１      ：メインタンク
２２      ：サブタンク
２４      ：尿素水供給管
３１      ：第１被接続部
３３      ：操作部材
３４      ：凹部貫通孔
４１      ：第１接続部
４３      ：開閉弁
４４      ：弁体
４５      ：第２被接続部
４６      ：第２補給口
４８      ：第２表示部
４９      ：第２液量計
５５      ：移送機構
【図１】
2017227166.tif 000003
【図２】
2017227166.tif 000004
【図３】
2017227166.tif 000005